(57)【要約】  【課題】  本発明は、搬送や格納を容易に行なうことが出来、また、取付け作業を迅速かつ確実に作業能率よく行なうことが出来るわく組足場用手摺、及びその取付け金具を提供するものである。  【解決手段】  手摺１・２７は、所定間隔をおいて配設された両側一対の手摺柱２間の上端部および略中間部に各々上桟５・２８と中間桟６・２９とが枢着ピン８・３０を介して回動自在に枢着されてなり、上記各枢着ピン８・３０を中心として折畳み自在な略方形枠状に構成されている。また、その取付け金具９は、略リング状掛止片１０と、該掛止片１０の両側に各々並設された両側一対の略筒状挿着部材１１と、該挿着部材１１間に横設された略コ字形状の圧止具付き圧着部材１３とより構成されている。さらに、他の取付け金具１８は、所要長の筒状嵩上げ部材１９と、該嵩上げ部材１９の両側に並設された両側一対の筒状挿着部材２０とより構成されている。【選択図】      図１
2005048432.tif 000002
【特許請求の範囲】
【請求項１】
わく組足場を構成する建わく間に所要の取付け金具を介して架設状に取付け自在とされたわく組足場用手摺であって、該手摺は所要の長さを備えた両側一対の手摺柱が所定間隔をおいて並列状に配設されると共に、該両側手摺柱間の上端部および略中間部に各々上桟と中間桟とが枢着ピンを介して回動自在に枢着されてなり、上記各枢着ピンを中心として折畳み自在な略方形枠状に構成されてなることを特徴とする、わく組足場用手摺。
【請求項２】
わく組足場を構成する建わく間に所要の取付け金具を介して架設状に取付け自在とされたわく組足場用手摺であって、該手摺は所要の長さを備えた両側一対の手摺柱が所定間隔をおいて並列状に配設され、該両側手摺柱間の上端部および略中間部には各々上桟と中間桟とが枢着ピンを介して回動自在に枢着されると共に
、該上桟および中間桟は各々その中間部が枢着ピンを介して中折れ状に枢着されてなり、上記各枢着ピンを中心として折畳み自在な略方形枠状に構成されてなることを特徴とする、わく組足場用手摺。
【請求項３】
両側の手摺柱には取付け金具に係止せしめるべく抜止めピンが各々付設されてなることを特徴とする、請求項１及び２記載のわく組足場用手摺。
【請求項４】
わく組足場を構成する建わくの脚柱上端に嵌合掛止自在とされた略リング状掛止片と、請求項１及び２記載の手摺を挿着せしめるべく該掛止片の両側に各々並設された両側一対の略筒状挿着部材と、建わくの脚柱に楔着せしめるべく該両側の挿着部材間に横設された略コ字形状のクサビ付き楔着部材とよりなることを特徴とする、手摺用取付け金具。
【請求項５】
楔着部材に対応すべく両側の挿着部材下端に脚柱用当て片が横設されてなることを特徴とする、請求項４記載の手摺用取付け金具。
【請求項６】
わく組足場を構成する建わくの脚柱上端に嵌着自在とされた所要の長さを有する筒状嵩上げ部材と、請求項１及び２記載の手摺を挿着せしめるべく該嵩上げ部材の両側に並設された両側一対の筒状挿着部材とからなることを特徴とする、手摺用取付け金具。
【発明の詳細な説明】
【技術分野】
【０００１】
本発明は、各種建築・土木作業用のわく組足場を構築するさいに使用するわく組足場用手摺、及びその取付け金具に関する。
【背景技術】
【０００２】
一般に、この種のわく組足場としては、所要数の建わくを交さ筋かいでもって連結すると共に、隣あう建わく間に床付き布わくを架設せしめつつ順次上方に連結し、所定の個所に手摺や階段などの足場部材を取付けて構築するものとされている。
【０００３】
ところで、上記わく組足場を構成する手摺としては、例えば、特開平７−２７９４０２号公報（特許文献１）に開示されているように、下向きコ字形状とされた手摺本体の中間部および下端部間には各々中間桟と下桟とが架設状に取付けられると共に、該中間桟と下桟とは両側一対の補剛材でもって連結された略方形枠状のものが開示されている。
【０００４】
そして、上述の如く構成された手摺は、隣あう建わくの脚柱に所要の取付け金具を介して架設状に取付けて使用に供するものとされている。
【０００５】
しかしながら、上述の如く構成された従来例は非常に強固であり、手摺としての機能を有効に発揮せしめることが出来る反面、以下の欠点を有するものである。
【０００６】
まず第１に、従来例は、下向きコ字形状とされた手摺本体に中間桟と下桟とが一体的に取付けられると共に、該中間桟と下桟とは両側一対の補剛材により一体的に連結されてなる固定枠状を呈するものであるから、非常に嵩張りやすく、ひいては、わく組足場の狭いスペ−ス内における取扱いが極めて不便であるのみならず、建わくに対する取付け作業が非常に面倒で手間がかかり、極めて作業能率が悪いものである。
【０００７】
第２に、上述の如く従来例は非常に嵩張るため、その搬送や格納に極めて不便であり、格納スペ−スに大きな制約を受けやすいものである。
【０００８】
かかる従来例の問題点を解決するものとして、特開平２００２−３５６９８９号公報（特許文献２）には、両側一対の手摺柱と上桟と中間桟とを各々別個独立に形成せしめ、建わくに所要の取付け部材を介して取付けつつ組立てるべく構成されたものが開示されている。
【０００９】
しかしながら、上記従来例は、コンパクトに纏めてその搬送や格納を極めて容易に行なうことが出来る反面、非常に狭いわく組足場のスペ−ス内において一々建わくに取付けつつ組立てるものであるから、その取付け作業が非常に面倒で手間がかかり、極めて作業能率が悪いものである。
【特許文献１】特開平７−２７９４０２号
【特許文献２】特開２００２−３５６９８９号公報
【発明の開示】
【発明が解決しようとする課題】
【００１０】
上述の如く、従来のわく組足場用手摺は、搬送や格納の点、及び取付け作業性などの点において一長一短があり、必ずしも満足し得ないものである。
【００１１】
本発明は従来の問題点を一挙に解決し、コンパクトに纏めてその搬送や格納を極めて容易に行なうことが出来るのみならず、取付け作業を迅速、かつ、確実に作業能率よく行なうことが出来るわく組足場用手摺、及びその取付け金具を提供しようとするものである。
【課題を解決するための手段】
【００１２】
上記の目的を達成するため、本発明の請求項１記載の発明は、わく組足場を構成する建わく間に所要の取付け金具を介して架設状に取付け自在とされたわく組足場用手摺であって、該手摺は所要の長さを備えた両側一対の手摺柱が所定間隔をおいて並列状に配設されると共に、該両側手摺柱間の上端部および略中間部に各々上桟と中間桟とが枢着ピンを介して回動自在に枢着されてなり、上記各枢着ピンを中心として折畳み自在な略方形枠状に構成されてなることを特徴とする、わく組足場用手摺を要旨とするものである。
【００１３】
本発明の請求項２記載の発明は、わく組足場を構成する建わく間に所要の取付け金具を介して架設状に取付け自在とされたわく組足場用手摺であって、該手摺は所要の長さを備えた両側一対の手摺柱が所定間隔をおいて並列状に配設され、該両側手摺柱間の上端部および略中間部には各々上桟と中間桟とが枢着ピンを介して回動自在に枢着されると共に、該上桟および中間桟は各々その中間部が枢着ピンを介して中折れ状に枢着されてなり、上記各枢着ピンを中心として折畳み自在な略方形枠状に構成されてなることを特徴とする、わく組足場用手摺を要旨とするものである。
【００１４】
本発明の請求項３記載の発明は、両側の手摺柱には取付け金具に係止せしめるべく抜止めピンが各々付設されてなることを特徴とする、請求項１及び２記載のわく組足場用手摺を要旨とするものである。
【００１５】
本発明の請求項４記載の発明は、わく組足場を構成する建わくの脚柱上端に嵌合掛止自在とされた略リング状掛止片と、請求項１及び２記載の手摺を挿着せしめるべく該掛止片の両側に各々並設された両側一対の略筒状挿着部材と、建わくの脚柱に圧着せしめるべく該両側の挿着部材間に横設された略コ字形状の圧止具付き圧着部材とよりなることを特徴とする、手摺用取付け金具を要旨とするものである。
【００１６】
本発明の請求項５記載の発明は、圧着部材に対応すべく両側の挿着部材下端には脚柱用当て片が横設されてなることを特徴とする、請求項４記載の手摺用取付け金具を要旨とするものである。
【００１７】
本発明の請求項６記載の発明は、わく組足場を構成する建わくの脚柱上端に嵌着自在とされた所要の長さを有する筒状嵩上げ部材と、請求項１及び２記載の手摺を挿着せしめるべく該嵩上げ部材の両側に並設された両側一対の筒状挿着部材とからなることを特徴とする、手摺用取付け金具を要旨とするものである。
【発明の効果】
【００１８】
請求項１記載の発明は上述のように構成されているから、枢着ピンを中心としてコンパクトに折畳むことが出来るものであって、搬送や格納に極めて至便であるのみならず、建わくに取付けるさいにも枢着ピンを中心として手摺柱と上桟と中間桟を適宜回動せしめることにより折畳み状態から略方形枠状に起立せしめつつ取付けることが出来るものであり
、非常に狭いわく組足場スペ−ス内においても常に取付け作業を迅速、かつ、確実に作業能率よく行なうことが出来るものである。
【００１９】
請求項２記載の発明は上述のように構成されているから、枢着ピンを中心として上桟及び中間桟を中折れせしめつつ非常にコンパクトに折畳むことが出来るものであって、搬送や格納に極めて至便であるのみならず、建わくに取付けるさいにも枢着ピンを中心として手摺柱と上桟と中間桟を適宜回動せしめることにより折畳み状態から略方形枠状に起立せしめつつ取付けることが出来るものであり、非常に狭いわく組足場スペ−ス内においても常に取付け作業を迅速、かつ、確実に作業能率よく行なうことが出来るものである。
【００２０】
請求項３記載の発明は上述のように構成されているから、抜止めピンを取付け金具に係止せしめることにより手摺柱の脱落を常に確実に防止せしめることが出来るものである。
【００２１】
請求項４記載の発明は上述のように構成されているから、掛止片を建わくの脚柱上端部に嵌合掛止せしめると共に、同脚柱に圧着部材を介して圧着せしめ、しかるのち、挿着部材に手摺を挿着せしめることが出来るものであって、常に手摺を確実、かつ、強固に取付けることが出来るものである。
【００２２】
請求項５記載の発明は上述のように構成されているから、当て片を建わくの脚柱に当てがいつつ取付け金具を取付けることが出来るものであって、常に取付け金具を適正状態に確実に取付けることが出来るものである。
【００２３】
請求項６記載の発明は上述のように構成されているから、嵩上げ部材を建わくの脚柱上端部に嵌着せしめることによりその上方に建わくを嵩上げ状態に簡単かつ確実に連結せしめることが出来るものであって、ひいては、足場の作業スペ−スを広くすることが出来るのみならず、建わくを嵩上げせしめたさいにおいても手摺を挿着部材に挿着して簡単に、しかも確実に作業能率よく取付けることが出来るものである。
【発明を実施するための最良の形態】
【００２４】
以下に、本発明を実施するための最良の形態を図面に示す一実施例に基づいて説明する
。
【実施例１】
【００２５】
図１〜図１２は本発明の一実施例を示すもので、同図中、１は略方形枠状とされたわく組足場用手摺（図１及び図２参照）、２は該手摺１を構成する所要の長さを備えた両側一対の金属パイプ製手摺柱、３は該両側手摺柱２の下端部に各々固着されたカラ−、４は該カラ−３上に位置すべく両側手摺柱２の下端に対向状に付設された略鈎形状の抜止めピンである。５・６は両側手摺柱２の上端部とほぼ中間部に各々取付け部材７を介して架設状に枢着された上桟と中間桟、８は該上桟５・中間桟６を各々取付け部材７に枢着せしめる枢着ピンで、該各枢着ピン８を中心として上桟５・中間桟６の両端部を各々回動せしめつつ図３に示すように略直線状に折畳み自在とされている。
【００２６】
９は上記手摺１を後記する建わく２２に圧着状に取付ける手摺用取付け金具（図４参照
）、１０は該取付け金具９を構成する掛止片で、該掛止片１０は建わく２２の脚柱２３上端部に嵌合掛止せしめるべく細長なリングを略く字形状に折曲せしめることにより形成されている。１１は前記手摺１の手摺柱２を挿着せしめるべく上記掛止片１０の下部両側に一体的に並設された所要の長さと内径を有する両側一対の金属パイプ製挿着部材、１２は前記抜止めピン４を係止せしめるべく該各挿着部材１１の外側に各々形成された係止孔、１３は挿着部材１１に直交すべく掛止片１０の下端部に横設された略コ字形状の脚柱用楔着部材、１４はクサビ１５を圧入せしめるべく該楔着部材１３の先部両側に各々形成された所要径のクサビ孔、１６は楔着部材１３に対応すべく両側の挿着部材１１間に架設状に横設された脚柱用当て片、１７は該当て片１６の先部に切欠き形成された湾曲状の当て部である。
【００２７】
１８は後記する建わく２２を嵩上げせしめつつ前記手摺１を取付ける手摺用取付け金具（図５参照）、１９は該取付け金具１８を構成する金属パイプ製嵩上げ部材で、該嵩上げ部材１９は建わく２２の脚柱２３上端部に嵌着して取付けるべく所要の長さと内径を有するものとされている。２０は前記手摺柱２を挿着せしめるべく上記嵩上げ部材１９の両側に一体的に並設された両側一対の金属パイプ製手摺柱用挿着部材で、該両側の挿着部材２０は上記嵩上げ部材１９より若干短尺状に形成されている。２１は前記抜止めピン４を係止せしめるべく両側の挿着部材２０外側に各々形成された係止孔である。
【００２８】
その他、２２はわく組足場を構築せしめる鳥居型状の建わく、２３は該建わく２２を構成する両側一対の金属パイプ製脚柱、２４は該脚柱２３間に架設された横架材で、該横架材２４と脚柱２３とは所要の補剛材（図示略）でもって連結せしめられている。２５は交さ筋かい、２６は床付き布わくを各々示す。
【００２９】
次に、上述の如く構成された取付け金具９による手摺１の据置型取付け状態を図６〜図９に基づいて説明する。
【００３０】
先ず、わく組足場を構築する建わく２２に取付け金具９を取付ける。すなわち、相隣る建わく２２の脚柱２３上端部に掛止片１０を嵌合掛止せしめると共に、当て片１６の当て部１７を脚柱２３に当てがいつつ楔着部材１３を脚柱２３に嵌合せしめたのち、クサビ孔１４にクサビ１５を打撃しつつ圧入せしめ、取付け金具９を脚柱２３に圧着状に楔着せしめる（図７〜図９参照）。このさい、取付け金具９は掛止片１０を脚柱２３の上端部に嵌合掛止せしめると共に、当て片１６を当てがいつつ楔着部材１３でもって楔着せしめるものであるから、その取付けを常に確実に、しかも強固に行なうことが出来るものである。しかるのち、手摺１を折畳んだ状態でもって上方に持上げつつ取付け金具９の挿着部材１１にアプロ−チせしめ、上方に位置する手摺柱２を挿着部材１１に挿着せしめる（図６Ａ・Ｂ参照)。次いで、各枢着ピン８を中心として上桟５・中間桟６を回動せしめつつ他方の手摺柱２を上方に持上げ、略方形枠状に起立せしめながら対応する取付け金具９の挿着部材１１に挿着せしめる（図６Ｃ・Ｄ参照）。そして、両側手摺柱２の挿着が完了すると、抜止めピン４を対応する挿着部材１１の係止孔１２に係止せしめ、手摺１の取付けを完了する。このさい、手摺１は各枢着ピン８を中心として手摺柱２・上桟５・中間桟６を各々回動せしめることにより折畳み状態から略方形枠状に起立せしめつつ取付けることが出来るため、非常に狭いわく組足場のスペ−ス内においても常にその取付け作業を迅速、かつ、確実に作業能率よく行なうことが出来るものである。
【００３１】
逆に、手摺１を取外すさいには、抜止めピン４の係止を解放せしめたのち、一方の手摺柱２を挿着部材１１より抜き去り、枢着ピン８を中心として手摺柱２・上桟５・中間桟６を各々下方に回動せしめつつ除々に折畳むと共に、上方に持上げて他方の手摺柱２の挿着を解放せしめるとよい。このさい、手摺１は折畳み状態に取外すことが出来るため、その取扱いのみならず搬送や格納に極めて至便である。
【００３２】
次に、取付け金具９による手摺１の先送り型取付け状態を図１０に基づいて説明する。
【００３３】
先ず、先送りすべき既設の手摺１より抜止めピン４の係止を解放せしめたのち、両側の手摺柱２を順次挿着部材１１より抜き去り、各枢着ピン８を中心として手摺柱２・上桟５
・中間桟６を回動せしめつつ折畳む（図１０Ａ・Ｂ参照）。しかるのち、上記実施例と同様に操作し、予め建わく２２の脚柱２３上端部に取付けた取付け金具９でもって手摺１を略方形枠状に取付ける（図１０Ｃ・Ｄ参照）。このさい、既設の手摺１を取外して折畳んだのち、略方形枠状に起立せしめつつ取付けることが出来るため、非常に狭いわく組足場のスペ−ス内においても常にその先送り型取付け作業を迅速、かつ、確実に作業能率よく行うことが出来るものである。
【００３４】
更に、前記取付け金具１８により建わく２２を嵩上げせしめつつ手摺１を取付ける場合には、図１１及び図１２に示すように、嵩上げ部材１９を建わく２２の脚柱２３上端部に外嵌状に嵌着せしめたのち、該嵩上げ部材１９に脚柱２３を挿着して建わく２２を嵩上げ状に連結せしめる。しかるのち、手摺１を前記実施例と同様の操作でもって折畳み状態より略方形枠状に起立せしめつつ、その両側手摺柱２を各々挿着部材２０に挿着し、抜止めピン４を係止孔２１に係止せしめることにより取付ける。このさい、嵩上げ部材１９を建わく２２の脚柱２３上端部に嵌着せしめることによりその上方に建わく２２を嵩上げ状態に簡単かつ確実に連結せしめることが出来るものであって、ひいては、足場の作業スペ−スを広くすることが出来るのみならず、建わく２２を嵩上げせしめたさいにおいても手摺１を挿着部材２０に挿着して簡単に、しかも確実に作業能率よく取付けることが出来るものである。
【実施例２】
【００３５】
図１３〜図１６は本発明に係る他のわく組足場用手摺２７の実施例を示すもので、上桟２８及び中間桟２９の中間が各々枢着ピン３０を介して折畳み自在な中折れ状に構成された点が前記手摺１と相違し、他の部分は同一であり、同一符号は同一部分を示す。
【００３６】
そして、上述の如く構成された手摺２７は、図１５に示すように、枢着ピン８・３０を介して略直線状に折畳み、あるいは、図１６に示すように、上桟２８・中間桟２９を中折れ状に折曲せしめて両側の手摺柱２間に収納せしめるべく折畳むことが出来るものである
。
【００３７】
なお、上記手摺２７は、前記取付け金具９・１８により前記実施例と同様の操作でもって折畳み状態から順次略方形枠状に起立せしめつつ取付けるとよい。
【００３８】
なお、上記実施例１・２において、手摺柱２の下端部には鈎形状の抜止めピン４が付設されているが、これに限定されるものでなく、手摺柱２に外方突出自在な抜止めピンを内設せしめてもよいものである。また、取付け金具９の圧着部材としてクサビ１５を備えたコ字形状の楔着部材１３が示されているが、これに限定されるものでなく、圧止ボルトを備えたコ字形の圧着部材を採択使用してもよいものである。さらに、取付け金具１８の挿着部材２０は嵩上げ部材１９より若干短尺状に形成されているが、これに限定されるものでなく、必要に応じて同高に形成せしめてもよいものである。なお、取付け金具９・１８は手摺１・２７のみならず、これらに類した他のわく組足場用部材の取付けにも適用せしめることが出来、また、手摺１・２７を構成する上桟５・２８と中間桟６・２９とは枢着ピンを介して所要の補剛材により折畳み自在に連結せしめてもよいものである。
【図面の簡単な説明】
【００３９】
【図１】本発明に係る手摺１の実施例１を示す正面図である。
【図２】実施例１の手摺１を示す一部拡大平面図である。
【図３】実施例１の手摺１を直線状に折畳んだ状態を示す正面図である。
【図４】本発明に係る取付け金具９の実施例１を示す拡大斜視図である。
【図５】本発明に係る取付け金具１８の実施例１を示す拡大斜視図である。
【図６】実施例１の取付け金具９による手摺１の据置型取付け状態を示す正面図である。
【図７】実施例１の取付け金具９により手摺１を取付けた状態を示す一部破断拡大正面図である。
【図８】図７のＩ−Ｉ線に沿う断面図である。
【図９】実施例１の取付け金具９により手摺１を取付けた状態を示す拡大側面図である。
【図１０】実施例１の取付け金具９による手摺１の先送り型取付け状態を示す正面図である。
【図１１】実施例１の取付け金具１８により建わく２２を嵩上げせしめつつ手摺１を取付けた状態を示す一部破断拡大正面図である。
【図１２】実施例１の取付け金具１８により手摺１を取付けた状態を示す一部拡大側面図である。
【図１３】本発明に係る手摺２７の実施例２を示す正面図である。
【図１４】実施例２の手摺２７を示す平面図である。
【図１５】実施例２の手摺２７を直線状に折畳んだ状態を示す正面図である。
【図１６】実施例２の手摺２７を中折れ状に折畳んだ状態を示す正面図である。
【符号の説明】
【００４０】
１    手摺
２    手摺柱
４    抜止めピン
５    上桟
６    中間桟
８    枢着ピン
９    取付け金具
１０  掛止片
１１  挿着部材
１２  係止孔
１３  楔着部材
１４  クサビ孔
１５  クサビ
１６  当て片
１８  取付け金具
１９  嵩上げ部材
２０  挿着部材
２１  係止孔
２２  建わく
２３  脚柱
２７  手摺
２８  上桟
２９  中間桟
３０  枢着ピン
【図１】
2005048432.tif 000003
【図２】
2005048432.tif 000004
【図３】
2005048432.tif 000005
【図４】
2005048432.tif 000006
【図５】
2005048432.tif 000007
【図６】
2005048432.tif 000008
【図７】
2005048432.tif 000009
【図８】
2005048432.tif 000010
【図９】
2005048432.tif 000011
【図１０】
2005048432.tif 000012
【図１１】
2005048432.tif 000013
【図１２】
2005048432.tif 000014
【図１３】
2005048432.tif 000015
【図１４】
2005048432.tif 000016
【図１５】
2005048432.tif 000017
【図１６】
2005048432.tif 000018